(57)【要約】【課題】内圧の低いスイッチング素子を用いるプラズマディスプレイパネルを提供する。【解決手段】第１及び第２スイッチング素子が電源Ｖｓ／２とパネルキャパシターの一端との間に直列に連結され、第３及び第４スイッチング素子がパネルキャパシターの一端と電源−Ｖｓ／２との間に直列に連結されている。そして、第１及び第２スイッチング素子の接点と第３及び第４スイッチング素子の接点との間には、Ｖｓ／２電圧を充電しているキャパシターが連結されている。このように、パネルキャパシターの一端に−Ｖｓ／２電圧が印加される間に、第１及び第２スイッチング素子の内圧をＶｓ／２にクランピングすることができ、同様に、パネルキャパシターの一端にＶｓ／２電圧が印加される間に、第３及び第４スイッチング素子の内圧をＶｓ／２にクランピングすることができる。【選択図】　　図４
2004046160.tif 000002
【特許請求の範囲】
【請求項１】
第１電圧を供給する第１電源とパネルキャパシターの一端との間に直列に連結される第１及び第２スイッチング素子と、
前記パネルキャパシターの一端と第２電圧を供給する第２電源との間に直列に連結される第３及び第４スイッチング素子と、
前記第１及び第２スイッチング素子の接点と前記第３及び第４スイッチング素子の接点との間に連結される第１キャパシターと、
前記第１キャパシターの一端と第３電圧を供給する第３電源との間に連結される第５スイッチング素子と
を含むことを特徴とするプラズマディスプレイパネル。
【請求項２】
前記第５スイッチング素子がオンになって、前記第１キャパシターには前記第３及び第２電圧の差に該当する電圧が充電されることを特徴とする請求項１に記載のプラズマディスプレイパネル。
【請求項３】
前記第３電圧は、前記第１及び第２電圧の中間電圧であることを特徴とする請求項１に記載のプラズマディスプレイパネル。
【請求項４】
前記パネルキャパシターの一端に一端が連結される少なくとも一つのインダクタと、
前記インダクタの他端と前記第３電源との間に並列に電気的に連結される第６及び第７スイッチング素子と
をさらに含むことを特徴とする請求項１に記載のプラズマディスプレイパネル。
【請求項５】
前記第１乃至第４スイッチング素子は、ボディーダイオードを有することを特徴とする請求項４に記載のプラズマディスプレイパネル。
【請求項６】
前記第１電源と前記パネルキャパシターの他端との間に直列に連結される第６及び第７スイッチング素子と、
前記パネルキャパシターの他端と前記第２電源との間に直列に連結される第８及び第９スイッチング素子と、
前記第６及び第７スイッチング素子の接点と前記第８及び第９スイッチング素子との接点の間に連結される第２キャパシターと、
前記第２キャパシターの一端と前記第３電源との間に連結される第１０スイッチング素子と
をさらに含むことを特徴とする請求項１に記載のプラズマディスプレイパネル。
【請求項７】
第１電圧を供給する第１電源と前記パネルキャパシターの一端との間に直列に連結される第１及び第２スイッチング素子と、
前記パネルキャパシターの一端と第２電圧を供給する第２電源との間に直列に連結される第３及び第４スイッチング素子と、
前記第１及び第２スイッチング素子の接点と前記第３及び第４スイッチング素子の接点とに各々連結され、その間の電圧が第３電圧に維持される第１及び第２信号線とを含み、
前記第１及び第２スイッチング素子と前記第３及び第４スイッチング素子とが交互にオンになって、前記パネルキャパシターの一端に前記第１及び第２電圧が交互に印加されることを特徴とするプラズマディスプレイパネル。
【請求項８】
前記第３電圧は前記第１及び第２電圧の差の半分に該当する電圧であることを特徴とする請求項７に記載のプラズマディスプレイパネル。
【請求項９】
前記第１及び第２信号線の間に連結され、前記第３電圧を充電するキャパシターをさらに含むことを特徴とする請求項７に記載のプラズマディスプレイパネル。
【請求項１０】
前記第２及び第３電圧の合計に該当する電圧を供給する第３電源と前記第１信号線との間に連結され、前記第４スイッチング素子がオンになっている場合に、前記キャパシターに前記第３電圧が充電されるようにオンになる第５スイッチング素子をさらに含むことを特徴とする請求項９に記載のプラズマディスプレイパネル。
【請求項１１】
前記パネルキャパシターの一端に電気的に連結される少なくとも一つのインダクタを含み、前記インダクタと前記パネルキャパシターとの間で発生する共振を利用して、前記パネルキャパシターの端子電圧を変える電力回収部をさらに含むことを特徴とする請求項７に記載のプラズマディスプレイパネル。
【請求項１２】
前記電力回収部は、前記インダクタの他端と前記第３電源との間に並列に連結される第７及び第８スイッチング素子をさらに含むことを特徴とする請求項１１に記載のプラズマディスプレイパネル。
【請求項１３】
前記第１乃至第４スイッチング素子は、ボディーダイオードを有することを特徴とする請求項７に記載のプラズマディスプレイパネル。
【請求項１４】
前記第１電源と前記パネルキャパシターの他端との間に直列に連結される第５及び第６スイッチング素子と、
前記パネルキャパシターの他端と前記第２電源との間に直列に連結される第７及び第８スイッチング素子と、
前記第５及び第６スイッチング素子の接点と前記第７及び第８スイッチング素子の接点とに各々連結され、その間の電圧が前記第３電圧に維持される第３及び第４信号線とをさらに含み、
前記パネルキャパシターの一端に前記第１電圧が印加される時には、前記第７及び第８スイッチング素子がオンになって前記パネルキャパシターの他端に前記第２電圧が印加され、前記パネルキャパシターの一端に前記第２電圧が印加される時には、前記第５及び第６スイッチング素子がオンになって前記パネルキャパシターの他端に前記第１電圧が印加されることを特徴とする請求項７に記載のプラズマディスプレイパネル。
【請求項１５】
パネルキャパシターの一端に連結された第１及び第２信号線を通じて、各々第１及び第２電圧を交互に印加しながらプラズマディスプレイパネルを駆動する方法において、
前記第１信号線上に形成された第１及び第２スイッチング素子をオンにして、前記パネルキャパシターの一端に前記第１電圧を印加すると共に、前記第１及び第２スイッチング素子の接点と前記第２信号線上に形成された第３及び第４スイッチング素子の接点との間に第３電圧を印加する第１段階と、
前記第３及び第４スイッチング素子をオンにして、前記パネルキャパシターの一端に前記第２電圧を印加すると共に、前記第１及び第２スイッチング素子の接点と前記第３及び第４スイッチング素子の接点との間に前記第３電圧を印加する第２段階と
を含むことを特徴とするプラズマディスプレイパネルの駆動方法。
【請求項１６】
前記第２段階は、前記第１及び第２スイッチング素子の接点と前記第３及び第４スイッチング素子の接点との間に形成されたキャパシターに前記第３電圧を充電する段階をさらに含むことを特徴とする請求項１５に記載のプラズマディスプレイパネルの駆動方法。
【請求項１７】
前記パネルキャパシターの一端に前記第１電圧を印加する前に、前記パネルキャパシターの一端に電気的に連結されるインダクタと前記パネルキャパシターとの間の共振を利用して、前記パネルキャパシターの一端の電圧を前記第１電圧まで上げる第１共振段階と、
前記パネルキャパシターの一端に前記第２電圧を印加する前に、前記インダクタと前記パネルキャパシターとの間の共振を利用して、前記パネルキャパシターの一端の電圧を前記第２電圧まで下げる第２共振段階と
をさらに含むことを特徴とする請求項１５に記載のプラズマディスプレイパネルの駆動方法。
【請求項１８】
前記第１共振段階の前に、前記第３電圧を供給する電源、前記インダクタ及び前記第２信号線から形成される経路を通じて、前記インダクタにエネルギーを保存する段階と、
前記第２共振段階の前に、前記第１信号線、前記インダクタ及び前記電源から形成される経路を通じて、前記インダクタにエネルギーを保存する段階と
をさらに含むことを特徴とする請求項１７に記載のプラズマディスプレイパネルの駆動方法。
【発明の詳細な説明】
【０００１】
【発明の属する技術分野】
本発明はプラズマディスプレイパネル（ｐｌａｓｍａ　ｄｉｓｐｌａｙ　ｐａｎｅｌ、ＰＤＰ）の駆動装置及びその駆動方法に関する。
【０００２】
【従来の技術】
最近、液晶表示装置（ｌｉｑｕｉｄ　ｃｒｙｓｔａｌ　ｄｉｓｐｌａｙ、ＬＣＤ）、電界放出表示装置（ｆｉｅｌｄ　ｅｍｉｓｓｉｏｎ　ｄｉｓｐｌａｙ、ＦＥＤ）、プラズマディスプレイパネルなどの平面表示装置が活発に開発されている。これらの平面表示装置のうち、プラズマディスプレイパネルは、他の平面表示装置に比べて輝度及び発光効率が高く視野角が広いという長所がある。したがって、プラズマディスプレイパネルが、４０インチ以上の大型表示装置において、従来の陰極線管（ｃａｔｈｏｄｅ　ｒａｙ　ｔｕｂｅ、ＣＲＴ）に代わる表示装置として脚光を浴びている。
【０００３】
プラズマディスプレイパネルは、気体放電によって生成されたプラズマを用いて文字または映像を表示する平面表示装置であって、その大きさによって数十から数百万個以上の画素がマトリックス状に配列されている。このようなプラズマディスプレイパネルは、印加される駆動電圧の波形の形態と放電セルの構造とによって、直流形（ＤＣ形）と交流形（ＡＣ形）とに分けられる。
【０００４】
直流形プラズマディスプレイパネルは、電極が放電空間にそのまま露出されているので、電圧が印加される間電流が放電空間にそのまま流れ、そのために電流を制限するための抵抗を作らなければならないという短所がある。反面、交流形プラズマディスプレイパネルは、電極を誘電体層が覆っているので、自然なキャパシタンス成分の形成によって電流が制限され、放電の際にイオンの衝撃から電極が保護されるので、直流形に比べて寿命が長いという長所がある。
【０００５】
一般に、交流形プラズマディスプレイパネルの駆動方法は、リセット（初期化）期間、記録（アドレッシング）期間、維持放電期間、消去期間から構成される。
【０００６】
リセット期間は、セルにアドレシング動作が円滑に行われるようにするために各セルの状態を初期化する期間であり、記録期間は、パネル上の点灯セルと非点灯セルとを選別して点灯セル（アドレスされたセル）に壁電荷を積む動作を行う期間である。維持放電期間は、アドレスされたセルに実際に画像を表示するための放電を行う期間であって、維持放電期間になると、走査電極（以下、”Ｙ電極”と称する）と維持電極（以下、”Ｘ電極”と称する）とにサステインパルスが交互に印加されて維持放電が行われて、映像が表示される。消去期間は、セルの壁電荷を減少させて維持放電を終了させる期間である。
【０００７】
交流形プラズマディスプレイパネルは、その維持放電のためのＹ電極及びＸ電極が容量性負荷として作用するため、走査電極及び維持電極に対するキャパシタンスが存在し、以下ではこれをパネルキャパシターＣｐと称する。
【０００８】
以下、従来の交流形プラズマディスプレイパネルの駆動回路及びその駆動方法について説明する。
【０００９】
図１及び図２は、従来の駆動回路及びその動作波形を示す図面である。
図１に図示したように、Ｋｉｓｈｉなどによって提案されたサステインパルスを生成する駆動回路（日本国特許第３２０１６０３号）は、Ｙ電極駆動部１１、Ｘ電極駆動部１２、Ｙ電極電源部１３、及びＸ電極電源部１４を含む。Ｘ電極駆動部１２及びＸ電極電源部１４は、Ｙ電極駆動部１１及びＹ電極電源部１３と同一な構成になっているので、Ｘ電極駆動部１２及びＸ電極電源部１４の構造と動作についての説明は省略し、以下ではＹ電極駆動部１１及びＹ電極電源部１３についてのみ説明する。
【００１０】
Ｙ電極電源部１３は、キャパシターＣ１と３個のスイッチング素子ＳＷ１、ＳＷ２、ＳＷ３とを含み、Ｙ電極駆動部１１は、２つのスイッチング素子ＳＷ４、ＳＷ５を含む。Ｙ電極電源部１３内のスイッチング素子ＳＷ１、ＳＷ２は、電源Ｖ１と接地端０との間に直列に連結される。電源Ｖ１は、Ｖｓ／２電圧を供給し、ここで、Ｖｓは、維持放電に必要な電圧である。スイッチング素子ＳＷ１、ＳＷ２の接点にはキャパシターＣ１が連結され、このキャパシターＣ１と接地端０とにはスイッチング素子ＳＷ３が連結されている。
【００１１】
Ｙ電極駆動部１１のスイッチング素子ＳＷ４、ＳＷ５は、Ｙ電極電源部１３のキャパシターＣ１の両端に直列に連結され、その接点にはパネルキャパシターＣｐが連結されている。
【００１２】
この時、図２に示したように、スイッチング素子ＳＷ２、ＳＷ５がオフになった状態でスイッチング素子ＳＷ１、ＳＷ３、ＳＷ４がオンになると、Ｙ電極電圧ＶｙはＶｓ／２電圧に上昇し、キャパシターＣ１にはＶｓ／２の電圧が充電される。次に、スイッチング素子ＳＷ１、ＳＷ３、ＳＷ４がオフになってスイッチング素子ＳＷ２、ＳＷ５がオンになると、Ｙ電極電圧Ｖｙは−Ｖｓ／２電圧まで下降する。
【００１３】
このような駆動によって、Ｙ電極に陽の電圧＋Ｖｓ／２と陰の電圧−Ｖｓ／２とを交互に印加することができ、同様に、Ｘ電極にも陽の電圧＋Ｖｓ／２と陰の電圧−Ｖｓ／２とを交互に印加することができる。この時、Ｘ電極及びＹ電極の各々に印加する電圧±Ｖｓ／２は、互いに位相が反転するように印加する。このように−Ｖｓ／２とＶｓ／２との間をスイングするサステインパルスを生成することによって、Ｘ電極とＹ電極との間の電位差を維持放電電圧Ｖｓにすることができる。
【００１４】
従来の回路で用いられる各素子の内圧はＶｓ／２にすればいいので、内圧の小さい素子を用いることができる。しかし、このような駆動回路は、−Ｖｓ／２からＶｓ／２にスイングするパルスを用いるプラズマディスプレイパネルだけに用いられるという問題点がある。
【００１５】
そして、従来の回路においては、陰の電圧に用いられる電圧を保存するためのキャパシターの容量が大きくなければならないので、このようなキャパシターによって、初期起動の際に相当な量の突入電流が流れるという問題点がある。
【００１６】
【発明が解決しようとする課題】
本発明は、上述した問題点を解決するためのものであって、本発明の目的は、内圧の低いスイッチング素子を用いるプラズマディスプレイパネルを提供することにある。
【００１７】
【課題を解決するための手段】
前記目的を達成するために、本発明は、直列に連結されたスイッチング素子の接点にスイッチング素子の両端の電圧をクランピングするための電圧を印加する。
【００１８】
本発明の第１の特徴によるプラズマディスプレイパネルには、第１電圧を供給する第１電源とパネルキャパシターの一端との間に直列に連結される第１及び第２スイッチング素子と、パネルキャパシターの一端と第２電圧を供給する第２電源との間に直列に連結される第３及び第４スイッチング素子とが形成されている。第１キャパシターが、第１及び第２スイッチング素子の接点と第３及び第４スイッチング素子の接点との間に連結されており、第５スイッチング素子が、第１キャパシターの一端と第３電圧を供給する第３電源との間に連結されている。
【００１９】
第５スイッチング素子がオンになって、第１キャパシターには第３及び第２電圧の差に該当する電圧が充電され、第３電圧は、第１及び第２電圧の中間電圧であるのが好ましい。
【００２０】
本発明の第１の特徴によるプラズマディスプレイパネルは、パネルキャパシターの一端に連結される少なくとも一つのインダクタと、インダクタと第３電源との間に並列に連結される二つのスイッチング素子とをさらに含むことができる。この時、第１乃至第４スイッチング素子は、ボディーダイオードを有するのが好ましい。
【００２１】
また、本発明の第１の特徴によるプラズマディスプレイパネルでは、パネルキャパシターの他端には第１電源と連結された第６及び第７スイッチング素子が直列に連結され、第２電源と連結された第８及び第９スイッチング素子が直列に連結されている。そして、第２キャパシターが第６及び第７スイッチング素子の接点と第８及び第９スイッチング素子の接点との間に連結され、第１０スイッチング素子が第２キャパシターの一端と第３電源との間に連結されている。
【００２２】
本発明の第２の特徴によるプラズマディスプレイパネルには、第１電圧を供給する第１電源とパネルキャパシターの一端との間に直列に連結される第１及び第２スイッチング素子と、パネルキャパシターの一端と第２電圧を供給する第２電源との間に直列に連結される第３及び第４スイッチング素子とが形成されている。第１及び第２信号線が、第１及び第２スイッチング素子の接点と第３及び第４スイッチング素子の接点とに各々連結されており、第１及び第２信号線の間が第３電圧に維持されている。そして、第１及び第２スイッチング素子と第３及び第４スイッチング素子とが交互にオンになって、パネルキャパシターの一端に第１及び第２電圧が交互に印加される。
【００２３】
この時、第３電圧は、第１及び第２電圧の差の半分に該当する電圧であるのが好ましい。
【００２４】
本発明の第２の特徴によるプラズマディスプレイパネルは、第１及び第２信号線の間に連結され、第３電圧を充電するキャパシターをさらに含むのが好ましい。そして、第５スイッチング素子が、第２及び第３電圧の合計に該当する電圧を供給する第３電源と第１信号線との間に連結され、キャパシターに第３電圧が充電されるように動作することができる。
【００２５】
また、このプラズマディスプレイパネルは、電力回収部をさらに含むのが好ましい。電力回収部は、パネルキャパシターの一端に電気的に連結される少なくとも一つのインダクタを含み、インダクタとパネルキャパシターとの間で発生する共振を利用して、パネルキャパシターの端子電圧を変える。
【００２６】
また、本発明は、パネルキャパシターの一端に連結された第１及び第２信号線を通じて、各々第１及び第２電圧を交互に印加しながら、プラズマディスプレイパネルを駆動する方法を提供する。第１及び第２信号線上には、各々第１及び第２スイッチング素子と第３及び第４スイッチング素子とが形成されている。この方法によれば、第１及び第２スイッチング素子をオンにして、パネルキャパシターの一端に第１電圧を印加すると共に、第１及び第２スイッチング素子の接点と第３及び第４スイッチング素子の接点との間に第３電圧を印加する。次に、第３及び第４スイッチング素子をオンにして、パネルキャパシターの一端に第２電圧を印加すると共に、第１及び第２スイッチング素子の接点と第３及び第４スイッチング素子の接点との間に第３電圧を印加する。
【００２７】
プラズマディスプレイパネルの一端に第２電圧を印加する時に、第１及び第２スイッチング素子の接点と第３及び第４スイッチング素子の接点との間に形成されたキャパシターに第３電圧を充電するのが好ましい。
【００２８】
【発明の実施の形態】
以下、添付した図面を参考に本発明の実施形態について、本発明の属する技術分野で通常の知識を有する者が容易に実施することができるように詳細に説明する。しかし、本発明は様々に変形して実施することができ、ここで説明する実施形態に限られるわけではない。
【００２９】
本発明を明確に説明するために、説明と関係ない部分は省略した。明細書の全体を通じて、類似した部分については、同一の図面符号を付けた。ある部分が他の部分と連結されているという記載は、直接的な連結だけではなく、その間に他の素子を介して電気的に連結されている場合も含む。
【００３０】
それでは、本発明の実施形態によるプラズマディスプレイパネルの駆動装置及び駆動方法について、図面を参考に詳細に説明する。
【００３１】
まず、図３を参照して本発明の実施形態によるプラズマディスプレイパネルについて説明する。
図３は、本発明の実施形態によるプラズマディスプレイパネルを示す図面である。
図３に示したように、本発明の実施形態によるプラズマディスプレイパネルは、プラズマパネル１００、アドレス駆動部２００、走査・維持駆動部３００、及び制御部４００を含む。
【００３２】
プラズマパネル１００は、列方向に配列されている複数のアドレス電極Ａ１〜Ａｍ、行方向にジグザグに配列されている複数の走査電極Ｙ１〜Ｙｎ、及び維持電極Ｘ１〜Ｘｎを含む。アドレス駆動部２００は、制御部４００からアドレス駆動制御信号を受信して、表示しようとする放電セルを選択するための表示データ信号を各アドレス電極に印加する。走査・維持駆動部３００は、制御部４００から維持放電信号を受信して、走査電極と維持電極とにサステインパルス電圧を交互に入力することによって、選択された放電セルに対して維持放電を行う。制御部４００は、外部から映像信号を受信して、アドレス駆動制御信号と維持放電信号とを生成して、各々アドレス駆動部２００と走査・維持駆動部３００とに印加する。
【００３３】
以下、図４乃至図６を参照して本発明の第１実施形態による走査・維持駆動部３００の駆動回路を説明する。
図４は、本発明の第１実施形態によるプラズマディスプレイパネルの駆動回路を示す図面である。図５Ａ及び図５Ｂは、本発明の第１実施形態による駆動回路における各モードの電流経路を示す図面であり、図６は、本発明の第１実施形態による駆動回路の動作タイミングを示す図面である。
【００３４】
図４に示したように、本発明の第１実施形態による走査・維持駆動部３００は、Ｙ電極駆動部３１０、Ｘ電極駆動部３２０、Ｙ電極クランピング部３３０、及びＸ電極クランピング部３４０を含む。
【００３５】
Ｙ電極駆動部３１０及びＸ電極駆動部３２０は、パネルキャパシターＣｐを介して連結されている。Ｙ電極駆動部３１０は、電源Ｖｓ／２とパネルキャパシターＣｐのＹ電極との間に直列に連結されているスイッチング素子Ｙｓ、Ｙｈ、及びパネルキャパシターＣｐのＹ電極と電源−Ｖｓ／２との間に直列に連結されているスイッチング素子ＹＬ、Ｙｇを含む。同様に、Ｘ電極駆動部３２０は、電源Ｖｓ／２とパネルキャパシターＣｐのＸ電極との間に直列に連結されているスイッチング素子Ｘｓ、Ｘｈ、及びパネルキャパシターＣｐのＸ電極と電源Ｖｓ／２との間に直列に連結されているスイッチング素子ＸＬ、Ｘｇを含む。
【００３６】
Ｙ電極クランピング部３３０は、スイッチング素子Ｙｕ及びキャパシターＣ１を含む。スイッチング素子Ｙｕは、スイッチング素子Ｙｓ、Ｙｈの接点と接地端との間に連結され、キャパシターＣ１は、スイッチング素子Ｙｓ、Ｙｈの接点とスイッチング素子ＹＬ、Ｙｇの接点との間に連結されている。同様に、Ｘ電極クランピング部３４０は、スイッチング素子Ｘｕ及びキャパシターＣ２を含む。スイッチング素子Ｘｕは、スイッチング素子Ｘｓ、Ｘｈの接点と接地端との間に連結され、キャパシターＣ２は、スイッチング素子Ｘｓ、Ｘｈの接点とスイッチング素子ＸＬ、Ｘｇの接点との間に連結されている。
【００３７】
図４では、Ｙ電極駆動部３１０及びＸ電極駆動部３２０とＹ電極クランピング部３３０及びＸ電極クランピング部３４０とに含まれるスイッチング素子Ｙｓ、Ｙｈ、ＹＬ、Ｙｇ、Ｙｕ、Ｘｓ、Ｘｈ、ＸＬ、Ｘｇ、ＸｕをＭＯＳＦＥとして表示したが、これに限られず、同一または類似した機能を行えば、いかなるスイッチング素子を用いても構わない。そして、このようなスイッチング素子は、ボディーダイオードを有するのが好ましい。
【００３８】
次に、図５Ａ、図５Ｂ及び図６を参照して本発明の第１実施形態による駆動回路の駆動方法を説明する。
【００３９】
本発明の第１実施形態では、電源Ｖｓ／２、−Ｖｓ／２が供給する電圧を各々Ｖｓ／２及び−Ｖｓ／２と仮定し、キャパシターＣ１、Ｃ２にはＶｓ／２の電圧が充電されているとする。そして、電圧Ｖｓ／２は、パネルの維持放電に必要な電圧である維持放電電圧Ｖｓの半分に該当する電圧と仮定する。
【００４０】
まず、図６に示したように、モード１（Ｍ１）では、スイッチング素子Ｘｓ、Ｘｈ、Ｙｇ、ＹＬ、Ｙｕがオフになった状態で、スイッチング素子Ｙｓ、Ｙｈ、Ｘｇ、ＸＬ、Ｘｕがオンになる。
【００４１】
そうすると、図５Ａに示したように、オンになったスイッチング素子Ｙｓ、Ｙｈによって、パネルキャパシターＣｐのＹ電極には電源Ｖｓ／２のＶｓ／２電圧が印加され、オンになったスイッチング素子ＸＬ、Ｘｇによって、パネルキャパシターＣｐのＸ電極には電源−Ｖｓ／２の−Ｖｓ／２電圧が印加される。したがって、パネルキャパシターＣｐのＹ電極電圧Ｖｙ及びＸ電極電圧Ｖｘは各々Ｖｓ／２及び−Ｖｓ／２になって、パネルキャパシターＣｐの両端に維持放電電圧Ｖｓが印加される。そして、スイッチング素子Ｘｕがオンになると、電源−Ｖｓ／２と接地端とによってキャパシターＣ２はＶｓ／２の電圧に充電され、また、Ｖｓ／２以上に充電されないようにクランピングされる。
【００４２】
この時、スイッチング素子Ｙｈがオンになっているので、スイッチング素子ＹＬの両端の電圧はキャパシターＣ１に充電された電圧Ｖｓ／２にクランピングされる。そして、スイッチング素子Ｙｓ、Ｙｈがオンになっているので、スイッチング素子ＹＬ、Ｙｇには電源Ｖｓ／２と電源−Ｖｓ／２との電圧差が印加され、スイッチング素子ＹＬの両端の電圧がＶｓ／２電圧にクランピングされているので、スイッチング素子Ｙｇの両端の電圧もＶｓ／２電圧にクランピングされる。
【００４３】
同様に、スイッチング素子ＸＬがオンになっているので、スイッチング素子Ｘｈの両端の電圧はキャパシターＣ２に充電された電圧Ｖｓ／２にクランピングされる。そして、スイッチング素子ＸＬ、Ｘｇがオンになっているので、スイッチング素子Ｘｓ、Ｘｈには電源Ｖｓ／２と電源−Ｖｓ／２との電圧差が印加され、パネルキャパシターＣｐの両端に維持放電に必要な電圧Ｖｓのスイッチング素子Ｘｈの両端の電圧がＶｓ／２電圧にクランピングされているので、スイッチング素子Ｘｓの両端の電圧もＶｓ／２電圧にクランピングされる。
【００４４】
次に、図６に示したように、モード２（Ｍ２）では、スイッチング素子Ｙｓ、Ｙｈ、Ｘｇ、ＸＬ、Ｘｕがオフになって、スイッチング素子Ｘｓ、Ｘｈ、Ｙｇ、ＹＬ、Ｙｕがオンになる。
【００４５】
そうすると、図５Ｂに示したように、オンになったスイッチング素子Ｙｇ、ＹＬによって、パネルキャパシターＣｐのＹ電極には電源−Ｖｓ／２の電圧−Ｖｓ／２が印加され、オンになったスイッチング素子Ｘｓ、Ｘｈによって、パネルキャパシターＣｐのＸ電極には電源Ｖｓ／２の電圧Ｖｓ／２が印加される。したがって、パネルキャパシターＣｐのＹ電極電圧Ｖｙ及びＸ電極電圧Ｖｘは各々−Ｖｓ／２及びＶｓ／２になって、パネルキャパシターＣｐの両端に維持放電電圧Ｖｓが印加される。そして、スイッチング素子Ｙｕがオンになって、キャパシターＣ１はＶｓ／２電圧に充電され続ける。
【００４６】
この時、モード１（Ｍ１）で説明したように、スイッチング素子ＹＬがオンになっているので、スイッチング素子Ｙｈの両端の電圧はキャパシターＣ１に充電された電圧Ｖｓ／２にクランピングされる。そして、スイッチング素子Ｙｈの両端の電圧がＶｓ／２電圧にクランピングされ、スイッチング素子ＹＬ、Ｙｇがオンになっているので、スイッチング素子Ｙｓの両端の電圧も電源Ｖｓ／２、−Ｖｓ／２によってＶｓ／２電圧にクランピングされる。同様に、スイッチング素子ＸＬはキャパシターＣ２に充電された電圧Ｖｓ／２にクランピングされ、スイッチング素子Ｘｇは電源Ｖｓ／２、−Ｖｓ／２によってＶｓ／２電圧にクランピングされる。
【００４７】
このように、本発明の第１実施形態によれば、パネルキャパシターＣｐの両端に維持放電電圧Ｖｓが印加される間に、キャパシターＣ１、Ｃ２に充電された電圧Ｖｓ／２によって、スイッチング素子Ｙｓ、Ｙｈ、ＸＬ、Ｘｇ及びスイッチング素子ＹＬ、Ｙｇ、Ｘｓ、Ｘｈの両端の電圧を各々Ｖｓ／２にクランピングすることができる。したがって、スイッチング素子Ｙｓ、Ｙｈ、ＹＬ、Ｙｇ、Ｘｓ、Ｘｈ、ＸＬ、Ｘｇとして内圧の低いスイッチング素子を用いることができる。また、キャパシターＣ１、Ｃ２は、パネルキャパシターＣｐのＹ電極またはＸ電極に陰の電圧を印加するのに用いられないので、従来の技術のように初期起動の際に大きな突入電流が発生しない。
【００４８】
この時、維持放電のための波形をパネルキャパシターＣｐに印加するためには、パネルキャパシターＣｐのキャパシタンス成分のために、放電に必要な電力以外に無効電力が必要である。このような無効電力を回収して再使用する回路を電力回収回路という。以下、本発明の第１実施形態による駆動回路に電力回収回路を追加した実施形態について、図７乃至図９を参照して詳しく説明する。
【００４９】
図７は、本発明の第２実施形態による駆動回路を示す図面である。
図７に示したように、本発明の第２実施形態による駆動回路は、第１実施形態による駆動回路にＹ電極電力回収部３５０及びＸ電極電力回収部３６０が追加されて形成される。
【００５０】
Ｙ電極電力回収部３５０は、インダクタＬ１及びスイッチング素子Ｙｒ、Ｙｆを含む。インダクタＬ１は、一端がＹ電極駆動部３１０のスイッチング素子Ｙｈ、ＹＬの接点、つまり、パネルキャパシターＣｐのＹ電極に連結され、スイッチング素子Ｙｒ、Ｙｆは、インダクタＬ１の他端と接地端との間に並列に連結されている。このようなＹ電極電力回収部３５０は、スイッチング素子Ｙｒ、ＹｆとインダクタＬ１との間に各々連結されるダイオードＤ１、Ｄ２をさらに含むことができる。このようなダイオードＤ１、Ｄ２は、各々スイッチング素子Ｙｒ、Ｙｆのボディーダイオードによって生じえる電流経路を遮断する。
【００５１】
Ｘ電極電力回収部３６０は、インダクタＬ２及びスイッチング素子Ｘｒ、Ｘｆを含み、また、ダイオードＤ３、Ｄ４をさらに含むことができる。Ｘ電極電力回収部３６０の構造については、Ｙ電極電力回収部３５０の構造と同一なので、説明を省略する。そして、Ｙ電極電力回収部３５０及びＸ電極電力回収部３６０のスイッチング素子Ｙｒ、Ｙｆ、Ｘｒ、ＸｆはＭＯＳＦＥＴなどからなる。
【００５２】
以下、図８Ａ乃至図８Ｈ、図９を参照して本発明の第２実施形態による駆動回路の駆動方法について説明する。
図８Ａ乃至図８Ｈは、本発明の第２実施形態による駆動回路における各モードの電流経路を示す図面であり、図９は、本発明の第２実施形態による駆動回路の動作タイミングを示す図面である。
【００５３】
本発明の第２実施形態では、モード１（Ｍ１）が始まる前に、スイッチング素子Ｙｓ、Ｙｈ、Ｘｇ、ＸＬ、Ｘｕがオンになって、スイッチング素子Ｘｓ、Ｘｈ、Ｙｇ、ＹＬ、Ｙｕ、Ｘｒ、Ｙｆ、Ｘｆ、Ｙｒはオフになっていると仮定する。また、キャパシターＣ１、Ｃ２にはＶｓ／２の電圧が充電されており、インダクタＬ１、Ｌ２のインダクタンスはＬであると仮定する。
【００５４】
図８Ａ及び図９に示したように、モード１（Ｍ１）では、モード１（Ｍ１）の前から、電源Ｖｓ／２、スイッチング素子Ｙｓ、Ｙｈ、パネルキャパシターＣｐ、スイッチング素子ＸＬ、Ｘｇ、及び電源−Ｖｓ／２から形成された電流経路８１によって、パネルキャパシターＣｐのＹ電極電圧Ｖｙ及びＸ電極電圧Ｖｘは各々Ｖｓ／２及び−Ｖｓ／２に維持されている。そして、接地端、スイッチング素子Ｘｕ、キャパシターＣ２、及び電源−Ｖｓ／２から形成された電流経路８２によって、キャパシターＣ２はＶｓ／２電圧にクランピングされている。また、第１実施形態のモード１（Ｍ１）で説明したように、キャパシターＣ１に充電された電圧Ｖｓ／２によって、二つのスイッチング素子ＹＬ、Ｙｇはその両端の電圧が各々Ｖｓ／２にクランピングされ、キャパシターＣ２に充電された電圧Ｖｓ／２によって、二つのスイッチング素子Ｘｓ、Ｘｈの両端の電圧は各々Ｖｓ／２にクランピングされる。
【００５５】
この時、モード１（Ｍ１）では、スイッチング素子Ｙｆ、Ｘｒがオンになって、電源Ｖｓ／２、スイッチング素子Ｙｓ、Ｙｈ、インダクタＬ１、ダイオードＤ２、スイッチング素子Ｙｆ、及び接地端への電流経路８３と、接地端、スイッチング素子Ｘｒ、ダイオードＤ３、インダクタＬ２、スイッチング素子ＸＬ、Ｘｇ、及び電源−Ｖｓ／２への電流経路８４とが形成される。この電流経路８３、８４によって、インダクタＬ１、Ｌ２に流れる電流ＩＬ１、ＩＬ２の大きさは、各々Ｖｓ／２Ｌの傾きで線形的に増加し、この電流ＩＬ１、ＩＬ２によって、インダクタＬ１、Ｌ２にはエネルギーが蓄積される。
【００５６】
次に、モード２（Ｍ２）では、スイッチング素子Ｙｆ、Ｘｒがオンになった状態で、スイッチング素子Ｙｓ、Ｙｈ、Ｘｇ、ＸＬ、Ｘｕがオフになる。そうすると、図８Ｂに示したように、スイッチング素子Ｘｒ、ダイオードＤ３、インダクタＬ２、パネルキャパシターＣｐ、インダクタＬ１、ダイオードＤ２、及びスイッチング素子Ｙｆに電流経路８５が形成されて、インダクタＬ１、Ｌ２とパネルキャパシターＣｐとによる共振電流が流れる。この共振電流によって、パネルキャパシターＣｐのＹ電極電圧Ｖｙは−Ｖｓ／２に下降し、Ｘ電極電圧ＶｘはＶｓ／２に増加して、これらの電圧は各々スイッチング素子ＹＬ、Ｙｇ及びスイッチング素子Ｘｓ、Ｘｈのボディーダイオードによって−Ｖｓ／２及びＶｓ／２を越えない。
【００５７】
このように、モード２（Ｍ２）では、モード１（Ｍ１）でインダクタＬ１、Ｌ２に蓄積したエネルギーと共振電流とを用いて、パネルキャパシターＣｐのＹ電極電圧Ｖｙ及びＸ電極電圧Ｖｘを変えるので、回路に寄生成分がある場合にもＹ電極電圧Ｖｙ及びＸ電極電圧Ｖｘを各々−Ｖｓ／２及びＶｓ／２まで変化させることができる。
【００５８】
モード３（Ｍ３）では、パネルキャパシターＣｐのＹ電極電圧Ｖｙ及びＸ電極電圧Ｖｘが各々−Ｖｓ／２及びＶｓ／２になった時に、この電圧を維持するために、スイッチング素子Ｘｓ、Ｘｈ、Ｙｇ、ＹＬがオンになる。そうすると、図８Ｃに示したように、電源Ｖｓ／２、スイッチング素子Ｘｓ、Ｘｈ、パネルキャパシターＣｐ、スイッチング素子ＹＬ、Ｙｇ、及び電源−Ｖｓ／２への経路８６を通じて、パネルキャパシターＣｐのＸ電極電圧Ｖｙ及びＹ電極電圧Ｖｘは各々Ｖｓ／２及び−Ｖｓ／２に維持される。
【００５９】
また、インダクタＬ１に流れていた電流ＩＬ１は、スイッチング素子Ｙｇ、ＹＬのボディーダイオード、インダクタＬ１、ダイオードＤ２、及びスイッチング素子Ｙｆから形成される経路８７を通じて接地端に回収され、インダクタＬ２に流れていた電流ＩＬ２は、スイッチング素子Ｘｒ、ダイオードＤ３、インダクタＬ２、及びスイッチング素子Ｘｈ、Ｘｓのボディーダイオードから形成される経路８８を通じて電源Ｖｓ／２に回収される。したがって、インダクタＬ１、Ｌ２に各々流れる電流ＩＬ１、ＩＬ２の大きさは、Ｖｓ／２／Ｌの傾きで線形的に０Ａまで減少する。
【００６０】
また、スイッチング素子Ｙｕがオンになって、接地端、スイッチング素子Ｙｕ、キャパシターＣ１、スイッチング素子Ｙｇ、及び電源−Ｖｓ／２のループ８９を通じて、キャパシターＣ１にＶｓ／２の電圧を充電しながら、キャパシターＣ１がＶｓ／２以上に充電されないようにクランピングする。そして、第１実施形態のモード２で説明したように、キャパシターＣ１に充電された電圧Ｖｓ／２によって、二つのスイッチング素子Ｙｓ、Ｙｈはその両端の電圧が各々Ｖｓ／２にクランピングされ、キャパシターＣ２に充電された電圧Ｖｓ／２によって、二つのスイッチング素子ＸＬ、Ｘｇの両端の電圧は各々Ｖｓ／２にクランピングされる。
【００６１】
この時、インダクタＬ１、Ｌ２に流れる電流ＩＬ１、ＩＬ２が０Ａになると、スイッチング素子Ｙｆ、Ｘｒをオフにして、電流経路８７、８８を遮断する（モード４（Ｍ４））。そして、図８Ｄに示したように、スイッチング素子ＹＬ、Ｙｇ、Ｘｓ、Ｘｈはオンの状態であるので、パネルキャパシターＣｐのＹ電極電圧Ｖｙ及びＸ電極電圧Ｖｘは各々−Ｖｓ／２及びＶｓ／２に維持され続ける。また、モード３（Ｍ３）と同様に、スイッチング素子Ｙｓ、Ｙｈ、ＸＬ、Ｘｇの両端の電圧はＶｓ／２にクランピングされている。
【００６２】
次に、モード５（Ｍ５）では、パネルキャパシターＣｐのＹ電極電圧Ｖｙ及びＸ電極電圧Ｖｘを各々−Ｖｓ／２及びＶｓ／２に維持しながら、インダクタＬ１、Ｌ２にエネルギーを蓄積する。詳しく説明すると、スイッチング素子Ｙｒ、Ｘｆがオンになって、図８Ｅに示したように、接地端、スイッチング素子Ｙｒ、ダイオードＤ１、インダクタＬ１、スイッチング素子ＹＬ、Ｙｇ、及び電源−Ｖｓ／２への電流経路９０と、電源Ｖｓ／２、スイッチング素子Ｘｓ、Ｘｈ、インダクタＬ２、ダイオードＤ４、スイッチング素子Ｘｆ、及び接地端への電流経路９１とが形成される。この電流経路９０、９１によって、インダクタＬ１、Ｌ２に流れる電流ＩＬ１、ＩＬ２は、Ｖｓ／２Ｌの傾きで線形的に増加し、この電流ＩＬ１、ＩＬ２によって、インダクタＬ１、Ｌ２にはエネルギーが蓄積される。
【００６３】
このように、インダクタＬ１、Ｌ２にエネルギーを蓄積した後、モード６（Ｍ６）では、スイッチング素子Ｘｓ、Ｘｈ、ＹＬ、Ｙｇ、Ｘｕをオフにする。そうすると、スイッチング素子Ｙｒ、ダイオードＤ１、インダクタＬ１、パネルキャパシターＣｐ、インダクタＬ２、ダイオードＤ４、及びスイッチング素子Ｘｆに電流経路９２が形成されて、インダクタＬ１、Ｌ２とパネルキャパシターＣｐとによる共振電流が流れる。この共振電流によって、パネルキャパシターＣｐのＹ電極電圧ＶｙはＶｓ／２に上昇し、Ｘ電極電圧Ｖｘは−Ｖｓ／２に下降して、これらの電圧は各々スイッチング素子Ｙｓ、Ｙｈ及びスイッチング素子ＸＬ、ＸｇのボディーダイオードによってＶｓ／２及び−Ｖｓ／２を越えない。
【００６４】
モード６（Ｍ６）でも、モード２（Ｍ２）と同様に、インダクタＬ１、Ｌ２にエネルギーを蓄積し、このエネルギーと共振電流とを用いてパネルキャパシターＣｐのＹ電極電圧Ｖｙ及びＸ電極電圧Ｖｘを変化させるため、回路に寄生成分などがある実際の場合でもＹ電極電圧Ｖｙ及びＸ電極電圧Ｖｘを各々Ｖｓ／２及び−Ｖｓ／２まで変化させることができる。
【００６５】
モード７（Ｍ７）では、パネルキャパシターＣｐのＹ電極電圧Ｖｙ及びＸ電極電圧Ｖｘが各々Ｖｓ／２及び−Ｖｓ／２になった時に、この電圧を維持するために、スイッチング素子Ｙｓ、Ｙｈ、ＸＬ、Ｘｇがオンになる。そうすると、電源Ｖｓ／２、スイッチング素子Ｙｓ、Ｙｈ、パネルキャパシターＣｐ、スイッチング素子ＸＬ、Ｘｇ、及び電源−Ｖｓ／２への経路８１によって、パネルキャパシターＣｐのＹ電極電圧Ｖｙ及びＸ電極電圧Ｖｘは各々Ｖｓ／２及び−Ｖｓ／２に維持される。
【００６６】
この時、インダクタＬ１に流れていた電流ＩＬ１は、スイッチング素子Ｙｒ、ダイオードＤ１、インダクタＬ１、及びスイッチング素子Ｙｈ、Ｙｓのボディーダイオードから形成される経路９３を通じて電源Ｖｓ／２に回収され、インダクタＬ２に流れていた電流ＩＬ２は、スイッチング素子Ｘｇ、ＸＬのボディーダイオード、インダクタＬ２、ダイオードＤ４、及びスイッチング素子Ｘｆから形成される経路９４を通じて接地端に回収される。
【００６７】
また、スイッチング素子Ｘｕがオンになって、接地端、スイッチング素子Ｘｕ、キャパシターＣ２、スイッチング素子Ｘｇ、及び電源−Ｖｓ／２の経路８２を通じて、キャパシターＣ２にＶｓ／２の電圧を充電しながら、Ｖｓ／２以上に充電されないようにクランピングされる。そして、本発明の第１実施形態のモード１で説明したように、キャパシターＣ１に充電された電圧Ｖｓ／２によって、スイッチング素子ＹＬ、Ｙｇの両端の電圧はＶｓ／２にクランピングされ、キャパシターＣ２に充電された電圧Ｖｓ／２によって、スイッチング素子Ｘｓ、Ｘｈの両端の電圧はＶｓ／２にクランピングされる。
【００６８】
次に、モード８（Ｍ８）では、インダクタＬ１、Ｌ２に流れる電流ＩＬ１、ＩＬ２が０Ａになった時に、スイッチング素子Ｙｒ、Ｘｆがオフになって、経路９３、９４が遮断される。そして、スイッチング素子Ｙｓ、Ｙｈ、ＸＬ、Ｘｇはオンになっているので、パネルキャパシターＣｐのＹ電極電圧Ｖｙ及びＸ電極電圧Ｖｘは各々Ｖｓ／２及び−Ｖｓ／２に維持され続ける。また、モード７（Ｍ７）と同様に、スイッチング素子Ｘｓ、Ｘｈ、ＹＬ、Ｙｇの両端の電圧はＶｓ／２に続けてクランピングされている。
【００６９】
以降、モード１乃至モード８のサイクルを繰返して、Ｖｓ／２及び−Ｖｓ／２の間をスイングするＹ電極電圧Ｖｙ及びＸ電極電圧Ｖｘを生成することにより、Ｘ電極とＹ電極との間の電位差を維持放電電圧Ｖｓとすることができる。
【００７０】
本発明の第２実施形態では、Ｙ電極電力回収部３５０及びＸ電極電力回収部３６０に各々インダクタを一個ずつ用いたが、これに限られず、他の変形された全ての電力回収部を用いることができる。例えば、Ｙ電極電力回収部３５０に互いに異なる経路を形成するインダクタＬ１１、Ｌ１２を用いることができる。詳しく説明すると、Ｙ電極電圧がＶｓ／２を維持している間は、インダクタＬ１１にエネルギーを蓄積して、このエネルギーを用いてＹ電極電圧を−Ｖｓ／２に変える。次に、Ｙ電極電圧が−Ｖｓ／２を維持している間は、インダクタＬ１１のエネルギーを回収しながら、インダクタＬ１２にはエネルギーを蓄積して、このエネルギーを用いてＹ電極電圧をＶｓ／２に変える。
【００７１】
そして、本発明の第１及び第２実施形態では、電源Ｖｓ／２及び電源−Ｖｓ／２が供給する電圧を各々Ｖｓ／２及び−Ｖｓ／２としたが、二つの電源の電圧差が維持放電に必要な電圧であるＶｓになるのであれば、他の電圧を用いても構わない。つまり、電源が供給する電圧を各々Ｖｈ及びＶｈ−Ｖｓとして、Ｙ電極電圧Ｖｙ及びＸ電極電圧ＶｘがＶｈ及びＶｈ−Ｖｓの間をスイングするようにすることができる。
【００７２】
例えば、本発明の第１実施形態において、電源として、各々Ｖｓ電圧を供給する電源Ｖｓと接地端とを用いた実施形態について、図１０を参照して説明する。
【００７３】
図１０は、本発明の第３実施形態によるプラズマディスプレイパネルの駆動回路を示す図面である。
図１０に示したように、本発明の第３実施形態による駆動回路は、各々Ｖｓ／２電圧を供給する二つの電源Ｖｓ／２１、Ｖｓ／２２を用いる。詳しく説明すると、Ｙ電極駆動部３１０及びＸ電極駆動部３２０のスイッチング素子Ｙｓ、Ｘｓは、直列に連結された二つの電源Ｖｓ／２１、Ｖｓ／２２に連結されており、スイッチング素子Ｙｇ、Ｘｇは、接地端に連結されている。そして、Ｙ電極クランピング部３３０及びＸ電極クランピング部３４０のスイッチング素子Ｙｕ、Ｘｕは、二つの電源Ｖｓ／２１、Ｖｓ／２２の接点に連結されている。
【００７４】
本発明の第３実施形態による駆動回路の動作は、第１実施形態とパネルキャパシターＣｐのＹ電極電圧Ｖｙ及びＸ電極電圧Ｖｘに印加される電圧を除けば同一である。そしてキャパシターＣ１には、スイッチング素子Ｙｕがオンになる時にＶｓ／２の電圧が充電され、同様に、キャパシターＣ２には、スイッチング素子Ｘｕがオンになる時にＶｓ／２の電圧が充電される。
【００７５】
詳しく説明すると、モード１では、パネルキャパシターＣｐのＹ電極及びＸ電極には各々Ｖｓ及び０Ｖの電圧が印加される。そして、キャパシターＣ１に充電された電圧Ｖｓ／２によって、スイッチング素子ＹＬの両端の電圧はＶｓ／２にクランピングされ、スイッチング素子ＹＬの両端の電圧Ｖｓ／２と直列に連結された電源Ｖｓ／２１、Ｖｓ／２２の電圧Ｖｓによって、スイッチング素子Ｙｇの両端の電圧もＶｓ／２にクランピングされる。同様に、キャパシターＣ２に充電された電圧Ｖｓ／２によって、スイッチング素子Ｘｈの両端の電圧はＶｓ／２にクランピングされ、スイッチング素子Ｘｈの両端の電圧Ｖｓ／２と直列に連結された電源Ｖｓ／２１、Ｖｓ／２の電圧Ｖｓによって、スイッチング素子Ｘｓの両端の電圧もＶｓ／２にクランピングされる。
【００７６】
モード２では、パネルキャパシターＣｐのＹ電極及びＸ電極には各々０Ｖ及びＶｓの電圧が印加される。前述のように、キャパシターＣ１、Ｃ２に各々充電された電圧Ｖｓ／２と直列に連結された電源Ｖｓ／２１、Ｖｓ／２２の電圧Ｖｓによって、スイッチング素子Ｙｓ、Ｙｈ、ＸＬ、Ｘｇの両端の電圧は各々Ｖｓ／２にクランピングされる。
【００７７】
また、本発明の第１乃至第３実施形態では、電源とパネルキャパシターＣｐのＸ電極またはＹ電極との間に二つのスイッチング素子が形成される場合について説明したが、これに限られず、いくつのスイッチング素子が形成される場合にも適用することができる。例えば、本発明の第１実施形態において、電源Ｖｓ／２とパネルキャパシターＣｐのＹ電極との間に四つのスイッチング素子Ｓ１、Ｓ２、Ｓ３、Ｓ４が直列に連結され、パネルキャパシターＣｐのＹ電極と電源−Ｖｓ／２との間に四つのスイッチング素子Ｓ５、Ｓ６、Ｓ７、Ｓ８が直列に連結されていると仮定する。この時、スイッチング素子Ｓ２、Ｓ３の接点とスイッチング素子Ｓ６、Ｓ７の接点との間にキャパシターＣ１を連結すれば、隣り合う二つのスイッチング素子（Ｓ１、Ｓ２）、（Ｓ３、Ｓ４）、（Ｓ５、Ｓ６）、（Ｓ７、Ｓ８）に各々Ｖｓ／２の電圧がかかる。
【００７８】
【発明の効果】
上述したように、本発明によれば、スイッチング素子の内圧を維持放電に必要な電圧Ｖｓの半分にすることができるため、内圧の低いスイッチング素子を用いることができ、これによって生産単価を減らすことができる。そして、外部キャパシターに充電された電圧を用いてパネルキャパシターの端子電圧を変える場合に発生し得る突入電流を除去することができる。また、駆動回路に印加される電源を変えることによって、維持放電の電圧パルスの波形に関わらず、本発明による駆動回路を適用することができる。
【００７９】
以上で本発明の好ましい実施形態について詳細に説明したが、本発明の権利範囲はこれらに限られるわけではなく、請求の範囲で定義している本発明の基本概念を用いた当業者の様々な変形及び改良形態も、本発明の権利範囲に属する。
【図面の簡単な説明】
【図１】従来の技術による駆動回路を示す図である
【図２】従来の技術による駆動回路の動作タイミングを示す図である。
【図３】本発明によるプラズマディスプレイパネルを示す図である。
【図４】本発明の第１実施形態によるプラズマディスプレイパネルの駆動回路を示す図である。
【図５Ａ】本発明の第１実施形態による駆動回路における各モードの電流経路を示す図である。
【図５Ｂ】本発明の第１実施形態による駆動回路における各モードの電流経路を示す図である。
【図６】本発明の第１実施形態による駆動回路の動作タイミングを示す図である。
【図７】本発明の第２実施形態によるプラズマディスプレイパネルの駆動回路を示す図である。
【図８Ａ】本発明の第２実施形態による駆動回路における各モードの電流経路を示す図である。
【図８Ｂ】本発明の第２実施形態による駆動回路における各モードの電流経路を示す図である。
【図８Ｃ】本発明の第２実施形態による駆動回路における各モードの電流経路を示す図である。
【図８Ｄ】本発明の第２実施形態による駆動回路における各モードの電流経路を示す図である。
【図８Ｅ】本発明の第２実施形態による駆動回路における各モードの電流経路を示す図である。
【図８Ｆ】本発明の第２実施形態による駆動回路における各モードの電流経路を示す図である。
【図８Ｇ】本発明の第２実施形態による駆動回路における各モードの電流経路を示す図である。
【図８Ｈ】本発明の第２実施形態による駆動回路における各モードの電流経路を示す図である。
【図９】本発明の第２実施形態による駆動回路の動作タイミングを示す図である。
【図１０】本発明の第３実施形態によるプラズマディスプレイパネルの駆動回路を示す図である。
【符号の説明】
１００…プラズマパネル
２００…アドレス駆動部
３００…走査・維持駆動部
３１０…Ｙ電極駆動部
３２０…Ｘ電極駆動部
３３０…Ｙ電極クランピング部
３４０…Ｘ電極クランピング部
３５０…Ｙ電極電力回収部
３６０…Ｘ電極電力回収部
４００…制御部
Ｙｓ、Ｙｈ、ＹＬ、Ｙｇ、Ｙｕ、Ｘｓ、Ｘｈ、ＸＬ、Ｘｇ、Ｘｕ…スイッチング素子
Ｖｙ…Ｙ電極電圧
Ｖｘ…Ｘ電極電圧
【図１】
2004046160.tif 000003
【図２】
2004046160.tif 000004
【図３】
2004046160.tif 000005
【図４】
2004046160.tif 000006
【図５Ａ】
2004046160.tif 000007
【図５Ｂ】
2004046160.tif 000008
【図６】
2004046160.tif 000009
【図７】
2004046160.tif 000010
【図８Ａ】
2004046160.tif 000011
【図８Ｂ】
2004046160.tif 000012
【図８Ｃ】
2004046160.tif 000013
【図８Ｄ】
2004046160.tif 000014
【図８Ｅ】
2004046160.tif 000015
【図８Ｆ】
2004046160.tif 000016
【図８Ｇ】
2004046160.tif 000017
【図８Ｈ】
2004046160.tif 000018
【図９】
2004046160.tif 000019
【図１０】
2004046160.tif 000020